(57)【特許請求の範囲】
【請求項１】
地上等にある糞をすくって載置し得る受入体と、この受入体の一側部においてその端縁から内方へ向かって、該受入体の途中まで切除される糞すくいのための切り込みとを備えさせ、前記切り込みは、一個で、前記受入体の端縁が所定幅に開口し、この開口した端縁から内方へ向かってつぼまる略Ｖの字状に形成させ、前記切り込みの端周部は、前記切り込みの内方へ向かって下向き傾斜となる傾斜受面がその略全長に亘って設けられていることを特徴とするペットの糞採取具。
【請求項２】
受入体の他側部に糞の排出体を設けて、この排出体の外端部に、糞の排出を抑える規制体を着脱自在に設けたことを特徴とする請求項１記載のペット糞採取具。
【請求項３】
１個の切り込みは、受入体の一側部における端縁である前縁の中央に位置し、前記前縁は、前記１個の切り込みと、この切り込みの一方に位置する第１の突出部と、前記切り込みの他方に位置する第２の突出部とを備えていることを特徴とする請求項１記載のペット糞採取具。
【請求項４】
切り込みは、１個であり、前記切り込みの糞の受け入れ側の開口幅は、地上等にあるソーセージ状の糞の接触幅より大きいことを特徴とする請求項１記載のペット糞採取具。
【発明の詳細な説明】
【０００１】
【産業上の利用分野】
本発明は、簡単な操作で確実にペットの糞を採取することができるペットの糞採取具に関するものである。
【０００２】
【従来の技術】
犬などのペットを運動等のために外出させるときに生ずるペットの排糞ｂに際して、該糞は、飼い主が、地面等から拾いあげて家に持ち帰り適宜処分されているのが一般的である。
【０００３】
従来、この糞の回収にあっては、持参した手持ちのスコップにより該糞をすくい上げてスコップ上面に載置していたもので、このペットを連れての外出が家から遠く離れるときは、すくい上げた糞を、一旦、ビニル袋等に移し替えて保持していた。
【０００４】
しかし、この糞回収作業は、糞自体の外形状がソーセージ状をなしているために、例えば、図１７（ａ）に示すように、スコップ５０の側端部を糞ｂの側部に添えてスコップ５０上へすくい上げようとすると、糞ｂはその断面円形状のためスコップ５０の側端部に押されて転がってしまい、なかなかスコップ５０上面に乗り移らない。
【０００５】
また、図１７（ｂ）に示すように、糞ｂの長さ方向端部からスコップ５０の先端部を押し当てて同様にすくい上げようとしても、糞ｂは地面を滑って移動してしまうだけでスコップ５０上面に乗り移りにくい。
【０００６】
そのため、糞採取に大きな手間が掛かると共に、ペットをつないだ紐を持っての作業は一層不便を来す。
【０００７】
また、袋への糞ｂの移し替えに際しても、袋に収納する前に、スコップ５０上面に乗った糞ｂがペットに引っ張られた衝撃やスコップ５０を傾むけたときは、スコップ５０から地面に落ちてしまうことがある。
【０００８】
こういう動作を何度か繰り返すうちに、糞ｂが次第にばらばらとなってに小さくなり、更に取りにくくなる。
【０００９】
特に、雨天にあっては、傘を持ちながらペットをつないだ紐を引っ張り、更に糞回収のスコップを合わせ持っての前記作業は、十分に糞の回収を行なうことができず、また、高齢者の杖を携えて散歩しつつ行なうペットの運動は、一層不自由さがつのるものであった。
等の様々な問題点を有するものであった。
【００１０】
【発明が解決しようとする課題】
本発明は、前記した問題点を解決するためになされたもので、地上等にある糞をすくって載置し得る受入体の一側部において、その端縁から内方へ向かって、該受入体の途中まで切除される糞すくいのための切り込みを有し、この切り込みは、受入体の端縁が所定幅に開口し、この開口した端縁から内方へ向かってつぼまる略Ｖの字状に形成させることにより、地面等にある糞をワンタッチで受入体へ確実にすくい上げて、該受入体に保持させることができるペットの糞採取具を提供することを目的としている。
【００１１】
【課題を解決するための手段】
前記した問題点を解決するための本発明の手段は、地上等にある糞をすくって載置し得る受入体と、この受入体の一側部においてその端縁から内方へ向かって、該受入体の途中まで切除される糞すくいのための切り込みとを備えさせ、前記切り込みは、一個で、前記受入体の端縁が所定幅に開口し、この開口した端縁から内方へ向かってつぼまる略Ｖの字状に形成させ、前記切り込みの端周部は、前記切り込みの内方へ向かって下向き傾斜となる傾斜受面がその略全長に亘って設けられているものである。
【００１２】
また、請求項２記載の発明は、請求項１記載のペットの糞採取具において、受入体の他側部に糞の排出体を設けて、この排出体の外端部に、糞の排出を抑える規制体を着脱自在に設けたものである。
【００１３】
また、請求項３記載の発明は、請求項１記載のペットの糞採取具において、１個の切り込みは、受入体の一側部における端縁である前縁の中央に位置し、前記前縁は、前記１個の切り込みと、この切り込みの一方に位置する第１の突出部と、前記切り込みの他方に位置する第２の突出部とを備えているものである。
【００１４】
また、請求項４記載の発明は、請求項１記載のペットの糞採取具において、切り込みは、１個であり、前記切り込みの糞の受け入れ側の開口幅は、地上等にあるソーセージ状の糞の接触幅より大きいものである。
【００２０】
【実施例】
次に、本発明に関するペットの糞採取具の実施の一例を図面に基づいて説明する。
【００２１】
図１〜図８および図１２〜図１５においてＡは、犬や猫等のペットが排泄した糞ｂを地面等から回収する採取具で、受入体１と、切り込み２とにより基本的に構成される。
【００２２】
なお、本発明実施例のペットの糞採取具Ａにあって、図１６に示す例は、受入体１と、排出体６とから基本的になるもので、この例にあっては前記した切り込み２を有しない。
【００２３】
そして、図１〜図８および図１２〜図１５における前記した受入体１は、地上等にある糞ｂを丸ごとすくって、その上面部１ａへ載置し得る形態をなしているもので、所定の載置面積が得られるように形成されるものであって、木材や合成樹脂、あるいは、金属製等の成形可能な素材により比較的堅牢で薄厚に形成される。
【００２４】
また、この上面部１ａは、図１（ｂ）に示すように、その中央部から両側部または一方の側部が上方へ所定量湾曲していることが好ましいものである。
【００２５】
その形態は、例えば、図１（ａ）に示すように、園芸等に使用される小型のスコップ状のものが適している。
【００２６】
前記した切り込み２は、糞ｂのすくい上げを容易に行なうためのもので、受入体１の一側部においてその端縁から内方へ向かって、該受入体１における上面部１ａの途中まで切除されている。
【００２７】
そして、この切り込み２は、図１に示すように、受入体１の端縁が所定幅に開口した取入口２ａが設けられているもので、この開口した受入体１の端縁の取入口２ａから内方へ向かってつぼまる略Ｖの字状に形成させてあるものであって、糞ｂの長さ方向の略全長がこの切り込み２に安定的に乗り、落下することなく収まるようにその幅寸法が形成される。
【００２８】
また、この切り込み２の端周部は、図１（ａ）および図３（ａ），（ｂ），（ｃ）に示すように、該切り込み２の内方へ向かって下向き傾斜となる傾斜受面３がその略全長に亘って設けられているもので、その先端縁３ａは、なるべく尖鋭に形成されることが、糞ｂの外面との当接が線接触となって当接したときの糞ｂと切り込み２との摺動抵抗が少ないものであって、糞ｂのすくい上げ操作上好ましい。
【００２９】
更に、この切り込み２は、図４に示すように、取入口２ａにおいて糞ｂを、該糞ｂのすくい上げ初期において、確実に受入体１の上面部１ａに乗り上げることができるように、取入口２ａの開口度を少し広めに形成することもある。
【００３０】
切り込み２の受入体１への形成位置は、受入体１の任意の外周箇所に設けることができるものであるが、糞ｂが一般的にソーセージ状をなすことから、受入体１においてその載置に、糞ｂの長さ方向の寸法が十分に得られ、この糞ｂが受入体１の上面部１ａに乗ったとき、側方へ転動しても直ちに落下しない程度の幅寸法を有することが肝要である。
【００３１】
なお、受入体１において、該受入体１の切り込み２を除いた適所、例えば、切り込み２の他側に取っ手４が付設されているもので、この握り部は、図１に示すように、切り込み２と方向と略同一向きとなるように設けたり、図５に示すように、切り込み２に対して所定角度をなすように取り付けられる。
【００３２】
また、この取っ手４は、受入体１の一側端部に支持壁５を立設させ、この支持壁５の外側に突出させることもできるもので、該支持壁５を受入体１に設けることで、この受入体１に乗り移った糞ｂの落下が防止され、その保持が比較的確実に行なえる。
【００３３】
なお、この例にあって、受入体１における上面部１ａは、図１５（ａ）に示すように、比較的偏平に形成させることもあるもので、この略偏平の上面部１ａ適所に、すくい物を落下させるふるい孔１５を多数個穿設してあるものであって、この場合、糞ｂ以外にすくい上げた土や未使用の猫砂等の除去が容易となる。
【００３４】
したがって、前記した本発明の第一実施例によるペットの糞採取具Ａは、地面等に排泄された糞ｂの回収にあっては、糞採取具Ａの取っ手４を手で持って、図２（ａ）に示すように、糞ｂの長さ方向端部に受入体１の切り込み２の取入口２ａを対応させて、矢印ｐの方向へ糞採取具Ａを移動させる。
【００３５】
そして、図３（ａ），（ａ’）に示すように、糞ｂの下に切り込み２を潜らせるように入れて、更に、図３（ｂ），（ｂ’）に示すように、糞採取具Ａを進めると、取入口２ａにおいて切り込み２の傾斜受面３が糞ｂの下部両側に差し込まれるもので、この両者ｂ，２の当接は、わずかな線接触による接触面積でなされる。
【００３６】
そのため、糞ｂは糞採取具Ａの押し込み移動に際して、ほとんど長さ方向（図２（ａ）において矢印ｐに示す方向）への移動は生じないが、略Ｖの字状につぼまる切り込み２によってくさび作用を起こし、差し込みに連れて上方へ持ち上がる。
【００３７】
特に、切り込みの周端部に傾斜受面３を形成しておけば、この傾斜受面３に沿ってガイドを行なって、上方への糞ｂの持ち上がりが円滑に行なわれる。
【００３８】
この動作を糞ｂの略全長に向かって行なえば、糞ｂと切り込み２との当接は、切り込み２への当接位置は、糞採取具Ａの押し込みによって順次切り込み２の奥方向へ位置を変えるが、糞ｂはその先端の下部両側が常時位置するため、前記したくさび作用と相俟って両者ｂ，２には大きな接触抵抗を発生させない。
【００３９】
これにより、図３（ｃ），（ｃ’）および図２（ｂ）に示すように、糞ｂの受入体１への乗り移りが円滑で迅速に行なわれるものであって、この状態で、糞採取具Ａを、糞ｂをすくい上げるように持ち上げることで、片手操作によるワンタッチ採糞の目的が達成される。
【００４０】
また、切り込み２に納まった糞ｂは、糞採取具Ａの多少の傾きや衝撃を生じても転がって落ちることがなく、安定的に受入体１の上面部１ａにおいて保持される。
【００４１】
なお、受入体１の上面部１ａに乗った糞ｂは、他のビニル袋等に移し替えることもできる。
【００４２】
次に、本発明の実施例に係るペットの糞採取具Ａの第二実施例を説明する。
【００４３】
図６においてＡは、前記第一実施例における糞採取具Ａにおいて、受入体１の他側部に糞ｂの排出体６を設けた例を示すもので、この第二実施例にあっては、受入体１にすくい上げた糞ｂをこの排出体６から排出させることで、該糞ｂの取り出しと後の糞ｂ処理が円滑に行なえる。
【００４４】
そして、その構成は、図６（ａ）に示す場合は、断面円形（楕円形や多角形を含む角形であってもよい。）の筒状に形成した排出体６を受入体１の他側部に延設してあるもので、この筒状の排出体６の外側部には、糞ｂが流出される通孔７が設けられている。
【００４５】
したがって、図３の各図に示すように、切り込み２から受入体１の上面部１ａに乗り移った糞ｂは、受入体１を切欠き２が上向きとなるように傾けると、糞ｂはその重力により排出体６を移動して通孔７から外部へ排出される。
【００４６】
このとき、ビニル袋等を準備しておけば、通孔７から排出された糞ｂはこのビニル袋内に簡単で、直ちに収納させることができるので、糞ｂの取り扱いや処理が容易となる。
【００４７】
この糞採取具Ａにおける第二の例は、以下に示すいくつかの例も含め得るもので、例えば例示するとすれば、図６（ｂ）に示すように、排出体６の上部に切り割６ａを設けて、洗浄等を容易にすることもある。
【００４８】
更に、図６（ｃ）に示すように、受入体１の他側端部に縁６ｂ付きの略皿状の排出体６を、受入体１の上面部１ａ面より上向き傾斜に設けて、この皿部の適所に糞ｂが通過し得る通孔７を穿設する。
【００４９】
次に、本発明実施例に係るペットの糞採取具Ａの第三の実施例を説明する。
【００５０】
この例にあっては、地上等にある糞ｂをすくって載置し得る受入体１と、この受入体１の一側部においてその端縁から内方へ向かって、該受入体１の途中まで切除される糞すくいのための切り込み２とを備えさせたペットの糞採取具Ａにあって、この受入体１の他側部に糞ｂの排出体６を設けて、この排出体６へ糞ｂの収容部材８を着脱自在に設けた構成が特徴となる。
【００５１】
その具体的な構成は、第二実施例において示した糞採取具Ａの排出体６へ、図７に示すように、可撓性を有する収容部材８を取り付けるもので、この可撓性とは、開口が大きいもので口元を絞ることで排出体６の外周に馴染んだり、少なくとも開口部の口元が伸縮自在となる構造のものをいう。
【００５２】
すなわち、この収容部材８は、慣用の合成樹脂製または紙製等の袋を用いることができるもので、図７（ｂ）に示すように、筒状に形成された排出体６の外側部外周へ、例えば、ビニル袋によりなる収容部材８を所定深さまで外装する。
【００５３】
この糞採取具Ａの使用にあっては、排出体６に外装した収納部材８の口元を該排出体６と共に手で掴み、図３の各図に示すように、切り込み２から受入体１の上面部１ａに乗り移った糞ｂを、受入体１を切欠き２が上向きとなるように傾けることで、該糞ｂはその重力により排出体６を移動して通孔７からこの収容部材８内へ送り込まれ収納される。
【００５４】
この状態で、排出体６から収容部材８を引き抜けば直ちに両者６，８が分離されるもので、収容部材８は家に持ち帰って適宜処理することができる大きな利便性を有すると共に、収容部材８が排出体６の外周に取り付けられるため、該収容部材８の着脱操作において、糞ｂの流通部へ手が触れることがなく、衛生面においても良好である。
【００５５】
なお、排出体６に外装した収容部材８は、固着手段９を用いることで、使用にあって収容部材８を、常時、手で保持している必要がないもので、簡便な手段としては、図７において仮想線で示したように、輪ゴム等の弾性環９が適しているものであり、更に、簡便な手段として紐や接着テープ等も利用できるものであって、図示してないが、排出体６の適所に突設させたフックに収容部材８の口元を引っ掛けてもよい。
【００５６】
このとき、排出体６の外端部にストッパー１１を付設しておけば、固着手段９および収容部材８の戻り止めとなる。
【００５７】
また、この固着手段９の他の例として、図８に示すように、排出体６の外端周部へ、その全周または間隔的に、易剥離性の接着剤９を塗布することで、収容部材８を排出体６へ外装した際に、直ちに収容部材８の口元が接着剤９により接着されて、容易に該収容部材８が離脱することがないものであり、特に、排出体６の長さ方向へのスライド移動にあっては大きな固着性を発揮する。
【００５８】
糞ｂを収納した収容部材８は、接着剤９から剥くようにはがすことで簡単に取り外すことができる。
【００５９】
更に、固着手段９の他の例として、図９に示すように、排出体６の外端周部へ装着した収容部材８の口元部へ、割り１０を設けたばね性を有する環状体９ａの固着手段９を着脱自在に設けることで、収容部材８の固着作用が発揮される。
【００６０】
この例にあっては、排出体６の外端部に環状体９ａの固着手段９が当接するストッパー１１を設けることで、図９（ｂ）に示すように、固着手段９が嵌着したときの固着手段９の抜けが防止されると共に、収容部材８の口元がこのストッパー１１と固着手段９とにより挟み付けられて、収容部材８の固着が一層良好となる。
【００６１】
この例の固着手段９（収容部材８）の取り外しにあっては、ばね性に抗して割り１０を円周方向へ開くことで、該固着手段９の内径が大きくなって排出体６への係合が解除されるもので、この状態で、収容部材８を排出体６から取り外せばよい。
【００６２】
なお、図９において、排出体６が断面円形に形成された筒状のものを用いたため、これに相応して固着手段９の形状も円形の環状体９ａとしたが、この環状体９ａにあって、図示してないが、排出体６が角形であれば、この形状に相応した相似形の固着手段９の形状のものにすることが好ましい。
【００６３】
この環状の固着手段９は、図１０（ａ）に示すように、排出体６の外端部から収容部材８と共に押し込んで、該排出体６へ外装する構成も採用できるもので、この場合、同図に示すように、割り１０のない実円状の環状体９ａの固着手段９を用いてもよく、また、図示してないが、割り１０を設けた場合は、環状体９ａの固着手段９は、その内径が排出体６の外形状より小径に形成されることが、収容部材８の把持力発揮に際して好ましい。
【００６４】
また、図１０（ａ）に示す環状体９ａの固着手段９の変形例として、図１０（ｂ）に示すように、該固着手段９の外端部に鍔部材１２を内方へ向かって所定量突出させることで、排出体６の外端縁６ｄがこの鍔部材１２に当接して、収容部材８の口元部を両者１２，６ｄにより挟持して、該収容部材８の固着の確実性が向上すると共に、固着手段９の排出体６への押し込みに際しての位置決めがなされる。
【００６５】
更にまた、図１０（ａ）に示す環状体９ａの固着手段９の変形例として、図１１の各図に示すように、割り１０の代わりに、環状体９ａの固着手段９の周部においてその一部が残るスリット１３を設けて、収容部材８に取り付けた固着手段９の挿嵌操作を、収容部材８の厚さ等の変化に関係なくこのスリット１３の拡開によって容易とさせる。
【００６６】
そして、その構成は、図１１（ａ）に示すように、所定深さのスリット１３を複数箇所に設けたり、図１１（ｂ）に示すように、固着手段９における環状体９ａの端部両側に所定深さのスリット１３を複数箇所に設けたり、図１１（ｃ）に示すように、排出体６への挿嵌入口部をフレア状に開き、挿入操作を容易とし、このフレア状部に所定深さのスリット１３を複数箇所に設ける。
【００６７】
このスリット１３は、その幅間隔は任意に得られるもので、図１１（ｂ）に示すように、その切り込み幅は比較的広めのものであってもかまわない。
【００６８】
また、図１１（ｂ）に示すように、スリット１３を固着手段９の環状体端部の両側に設けた場合は、その排出体６への挿入方向が限定されないので使用上便利である。
【００６９】
図１２において１５は、受入体１へ一箇所または複数箇所に設けた糞ｂ以外のすくい物を落下させるふるい孔で、砂地や土部に排泄した糞ｂの回収にあって、これら砂や土，他の小ゴミと一緒に糞ｂをすくい上げ、受入体１において糞採取具Ａを横に揺らして、これらをふるうことで、小粒径の砂や土，他の小ゴミがこのふるい孔１５から落ちて、糞ｂだけが受入体１上に残る。
【００７０】
また、猫等のペットは、家屋内のペット用トイレにおいて排泄を行なうことが多いもので、該ペット用トイレには、砂や粒状物（いわゆる猫砂）等の糞・尿の被覆物が敷かれているものであって、このペット用トイレにおける糞・尿ｂ回収にも前記したふるい孔１５を設けた糞採取具Ａは有効である。
【００７１】
すなわち、猫砂の未使用の粒と、尿を含み固まった猫砂の固まりや糞ｂとを、いっしょに受入体１ですくった後、糞採取具Ａを左右に少し揺らすだけで、粒の小さい未使用の猫砂のみがふるい孔１５から落ちるので、ペットの糞ｂとのふるい分けが簡単にでき猫砂の節約にもなる。
【００７２】
そして、このふるい孔１５の構成は、図１２（ａ），（ｂ）に示すように、前記した猫砂が流通し得る所定開口度を有するように、切り込み２の両側において所定配列で穿設する。
【００７３】
あるいは、図１２（ｃ）に示すように、受入体１において切り込み２を該受入体１の一側に偏らせた状態で設けて、この切り込み２の一側部に該ふるい孔１５を設ける。
【００７４】
また、この場合、ふるい孔１５の大きさは、同図に示すように、比較的大きな開口であってもよく、糞ｂまたは尿によって固まった猫砂が通過しない開口であればよい。
【００７５】
更に、受入体１における上面部１ａの前縁部を、図１５（ｂ）に示すように、平らに形成させることで、糞ｂや固まった猫砂等のすくい上げが容易かつ効率よく行なえる。
【００７６】
図１３において１６は、受入体における排出体６の外端部へ着脱自在に設けた規制体で、切り込み２から受入体１に乗り移った糞ｂの排出体６の外端からの誤排出を防止するもので、例えば、散歩等の外出時において収容部材８が直ちに用意できないとき、排出体６の外端を塞ぎ、排出体６自体を収容部材８として利用する。
【００７７】
この規制体１６は排出体６に対して着脱自在であるため、該規制体１６を外せば、図６（ａ）に示す実施例の糞採取具Ａと同様に使用できるので、利用の幅が広がるものであって、その構成は、嵌め込み式やねじ式等の任意の手段が採用し得る。
【００７８】
なお、前記した取っ手４の形態は、糞取りの使用に即した所定のものが適宜選定されるものであるが、排出体６の上部に付設した場合は、糞取りがかがんだ姿勢での作業によるため、受入体１の下側面全体がなるべく地面と当接できるように、図１４に示すように、取っ手４の下側が作業者に向かって上向き傾斜となるように取り付けられることが好ましい。
【００７９】
【発明の効果】
前述のように構成される本発明のペットの糞採取具は、受入体の設けたその開口した端縁から内方へ向かってつぼまる略Ｖの字状に形成させた切り込みによって、地面等に排泄されたペットの糞を、該糞にほとんど移動等の影響を与えることなくすくい上げて受入体へ移し替えることができるので、糞取りの作業が瞬時にかつ簡単にできる。
【００８０】
そのため、つえで片手がふさがりがちな高齢者をはじめ、ペットの紐や、雨の日の傘等で手がふさがりがちだった人たちにも、ペットの外出や散歩中の糞処理が容易となる。
【００８４】
受入体の排出体に規制体を付設することで、外出・散歩中に収容部材がなくなっても、排出体の外端側を閉塞させることができるので、外出の移動中に採取した糞の誤落下を防止できる。
等の格別な効果を奏する。
【図面の簡単な説明】
【図１】本発明に係るペットの糞採取具の第一実施例を示すもので、（ａ）は平面図、（ｂ）は（ａ）におけるＸ−Ｘ線の断面図である。
【図２】図１における糞採取具の使用状態を示す斜視図である。
【図３】図１における糞採取具の使用状態を示すもので、（ａ），（ｂ），（ｃ）は要部の断面図、（ａ’）（ｂ’）（ｃ’）は要部の平面図である。
【図４】図１における糞採取具の変形例を示す斜視図である。
【図５】図１における糞採取具の更に変形例を示す斜視図である。
【図６】本発明に係るペットの糞採取具の第二実施例の各例を示す斜視図である。
【図７】本発明に係るペットの糞採取具の第三実施例を示すもので、（ａ）は斜視図、（ｂ）は一部を破断した正面図である。
【図８】図７における固着手段の他の例を示す説明図である。
【図９】図７における固着手段の更に他の例を示す斜視図である。
【図１０】図７における固着手段の更にまた他の例を示すもので、（ａ）は斜視図、（ｂ）は要部の断面図である。
【図１１】図７における固着手段の他の変形例を示す斜視図である。
【図１２】図１における糞採取具にふるい孔を設けた例を示すもので、（ａ）は斜視図、（ｂ），（ｃ）は要部の平面図である。
【図１３】図１における糞採取具に規制体を設けた例を示す要部を破断して示す正面図である。
【図１４】図１における取っ手の他の各例を示す斜視図である。
【図１５】本発明実施例の受入体の他の変形例を示す斜視図である。
【図１６】本発明実施例の受入体の更に他の変形例を示す斜視図である。
【図１７】従来の糞取りスコップによる糞の採取状態を示す説明図である。
【符号の説明】
ｂ    糞
１    受入体
２    切り込み
４    取っ手
８    収容部材
９    固着手段
１５  ふるい孔
１６  規制体
【図１】
0003840315.tif 000002
【図２】
0003840315.tif 000003
【図３】
0003840315.tif 000004
【図４】
0003840315.tif 000005
【図５】
0003840315.tif 000006
【図６】
0003840315.tif 000007
【図７】
0003840315.tif 000008
【図８】
0003840315.tif 000009
【図９】
0003840315.tif 000010
【図１０】
0003840315.tif 000011
【図１１】
0003840315.tif 000012
【図１２】
0003840315.tif 000013
【図１３】
0003840315.tif 000014
【図１４】
0003840315.tif 000015
【図１５】
0003840315.tif 000016
【図１６】
0003840315.tif 000017
【図１７】
0003840315.tif 000018